(57)【要約】【課題】  照明器具一体のＬＥＤ照明装置は、天井又は壁面の従来のローゼット又は電源ケーブルを利用して、照明灯として交換して使用するＬＥＤ照明装置を得ること。【解決手段】天井又は壁面の電源供給部とＬＥＤ照明装置が着脱できるように、電源受給部を該支持本体の天井又は壁面側に設け、またＬＥＤユニットと駆動回路を有する発光部を、該支持本体とシェードを有する照明装置の内部に設け、また該支持本体を放熱体とし、さらに該ＬＥＤユニットが、熱伝導性支持部材で支持すると共に該熱伝導性支持部材を支持本体で支持させ、加えて該ＬＥＤユニットの照射光が、支持本体と平行した方向に照射可能なように、該ＬＥＤユニットを支持本体と平行方向に設け、また該ＬＥＤユニットのＬＥＤ発光素子が照射する照射光の対面側に反射部材を設けたＬＥＤ照明装置を交換して使用できる照明器具一体のＬＥＤ照明装置。【選択図】  図１
2011222336.tif 000002
【特許請求の範囲】
【請求項１】
支持本体及びその下部側にシェードを設けた照明装置であって、天井又は壁面に設けられるローゼット又は電源ケーブル端部から電源供給できる電源供給部と該照明装置が着脱可能なように、該電源供給部に対応する引っ掛けプラグ、プラグ又はケーブル接続端子の電源受給部を、該照明装置の取付側である天井又は壁面側に設け、
上記照明装置の内部に、複数のＬＥＤ発光素子を有するＬＥＤユニットと、該ＬＥＤユニットを駆動する駆動回路を有する発光部を設けたことを特徴とする照明器具一体のＬＥＤ照明装置。
【請求項２】
請求項１記載の支持本体が、放熱体とした照明器具一体のＬＥＤ照明装置。
【請求項３】
ＬＥＤユニットが、熱伝導性支持部材で支持されると共に該熱伝導性支持部材を支持本体で支持することとした請求項１又は請求項２記載の照明器具一体のＬＥＤ照明装置。
【請求項４】
ＬＥＤユニットの照射光が、支持本体と平行した方向に照射可能なように、該ＬＥＤユニットを支持本体と平行方向に設けたこととした請求項１から請求項３のいずれか一項に記載の照明器具一体のＬＥＤ照明装置。
【請求項５】
請求項４記載のＬＥＤユニットの該ＬＥＤ発光素子が照射する照射光の対面側に反射部材を設けたこととした照明器具一体のＬＥＤ照明装置。
【発明の詳細な説明】
【技術分野】
【０００１】
本発明は、ＬＥＤ（発光ダイオード）発光素子ユニット（以後、ＬＥＤユニットと言う）の照明灯と照明器具を一体として該照明器具のシェードが面発光する照明装置全体を交換するとした照明装置に関する。
【背景技術】
【０００２】
本願で言う照明管とは、従来の蛍光灯のようにパイプで形成された直管形又は環形の照明灯を指し、またその照明灯とは、その直管形及び環形の従来型の蛍光灯（ＬＥＤを使用した管状の物を含む）で、従来言われている電球及び蛍光灯などの球を指し、そのものが光り照明光となるもの、また照明器具とは、照明灯に電源を中継供給するためのプラグ及び電源ケーブルの接続端子などの接続部、筐体及びカバーなど該照明灯を発光及び保持させるための装置を有し、そのものが光らない物を指して言い、また照明器具一体とは、該照明灯と照明器具が一体で分離独立しない照明装置を指して言う。
【０００３】
なお、従来市場で提供されている蛍光灯形状のＬＥＤ照明管は、ＬＥＤユニットとその駆動回路が内蔵され、ここで言う照明装置あるいは照明灯の略形態であるが、該市販されるＬＥＤ照明管は、既設の照明器具に取り付け或いは該器具の形状に準じ、それに合わせて取付け使用されるものであるから、ここで言う照明装置としては取り扱わない。
【０００４】
そこで従来、直管形及び環形の蛍光灯又はＬＥＤ照明灯は、直管形及び環形の照明管の照明灯と照明器具が、それぞれ独立した単体商品として販売提供され、既設の照明器具に照明灯として取り付け或いは該器具の形状に準じて取付け使用されている。
【０００５】
そして、従来の照明装置は、そのカバー又はシェードの中で照明灯が発光するものと、該照明器具に取付けた照明灯自身が発光して照明光とするものが一般的に提供され、その照明器具のカバー又はシェードの中で発光する該照明灯と照明器具が一体として交換する提案はなかった。
【０００６】
しかして、照明器具一体の照明装置に関連する先願技術として、ＬＥＤの発光体の照明部と天井に設けるコンセント部とからなる天井用照明装置で、該照明部は、長尺のベース部材の両端部にＬＥＤの発光体を取付け、該発光体の両端部はソケット部材及びプラグを設け、また前記コンセント部は前記照明部のプラグに対応する差し込み口が設けられ、該差し込み口には前記ＬＥＤの発光体に対応する直流電源が、別に付設して供給され、前記照明部と前記コンセント部とには、該ベース部材をコンセント部から抜け落ちないようにソケット部材とコンセント部とに固定ロック手段を設けたとする実施例を示す「天井用ＬＥＤ照明装置」がある。（例えば、特許文献１参照）
【先行技術文献】
【特許文献】
【０００７】
【特許文献１】特開２００８−４７３７７号公報
【発明の概要】
【発明が解決しようとする課題】
【０００８】
従来の照明装置は、蛍光灯用器具と蛍光灯のように照明灯と照明器具が、それぞれ独立して提供され、蛍光灯の、その球のみ１〜２年程度の寿命で交換することが行われ、それに準じて、近年、市場に投入されている直管型ＬＥＤ照明灯も同様に、既存の照明器具に交換、取付けすることで使用しているが、その取替えられる球と同様、取り付ける照明器具側にも寿命があり、その寿命の違いを考慮せず使用されている。
【０００９】
つまり、近年提供される直管型ＬＥＤ照明灯の使用は、該既設の照明器具を使用して使い回ししているが、これは該照明器具が比較的長寿命であることからこの使用状態で実行されており、しかしそのことは、その取替えられた長寿命の直管型ＬＥＤ照明灯と該照明器具との寿命とに差を持って使用することであり、またそのことは、絶えず交互に取替えられることとなり、そのことで寿命の差による電気使用量と明るさの効率の悪さ、さらには本来持つ寿命が短くなる弊害が存在していた。
【００１０】
このことは、近年、直管型ＬＥＤ照明灯が、省エネ長寿命と言うことで提供され、その使用において、上述したように既存の照明器具に取付け使用するとした提案がなされているが、しかし既設の照明器具の寿命は、一般的には使用状況によって大きく差はあるものの１０年から２０年使用と言われ、またその範囲で使用されており、一方、近年提供が始まった直管型ＬＥＤ照明灯もまた同様の長寿命（４万〜５万時間）であり、このことから既設の照明器具に、古い蛍光灯に換え新しい該直管型ＬＥＤ照明灯に交換すると、その既存との使用時間差により、その効率の落ちた古い既設の照明器具に影響されて、新しい該ＬＥＤ照明灯の電気使用量と明るさの効率が落ち、本来の性能が出せなかった。
【００１１】
また、従来の蛍光灯で約１年近く使用すると照度が７０％程度、落ちると共にさらに増して該蛍光灯の電気の使用量が格段に増えることが知られ、また既設の照明器具も安定器など同様に効率が落ち、そしてＬＥＤ照明灯でも電気使用量に対しての照度効率が落ちることが知られ、このような使用状況を踏まえ、上述照明灯と照明器具の新旧混合使用は、新旧製品の具体的な効率の悪さに差が有ることがあまり一般的に認知されていなかったことによる。
【００１２】
そもそも、従来の蛍光灯及び電球は、照明器具の寿命に対して１〜２年程度と短く、このことから蛍光灯及び電球の球のみを交換する必要性から始まったことで、近年、提供が始まった直管型ＬＥＤ照明灯では、照明器具の寿命と同程度で、従来の蛍光灯及び電球の球だけを交換する以前に照明器具の寿命を考える必要があり、むしろ使用効率から見れば  上述したように該ＬＥＤ照明灯と照明器具の寿命が同じ程度であり、個別に交換することで効率が落ちる逆効果の結果で、照明灯とその照明器具の同時交換するのが最も効率よく、省エネ、長寿命の観点から使用できる。
【００１３】
これらのことから、上述したように照明灯とその照明器具を新しいもの同士、同時に使用することで、本来の効率を発揮できるが、そのような照明灯と照明器具の同時交換の提案が無く、またそのものも提供されず、ここから改善点が見いだせる。
【００１４】
しかして、開示される特許文献１の「天井用ＬＥＤ照明装置」は、電源供給するコンセント及び該コンセントに直流電源部を付設したもので、ＬＥＤの発光体１１からなる照明部１を該直流電源部が付設されたコンセントに差し込み通電することで照明灯としていることから、コンセント及び直流電源部と、照明部１を個別に設け、単体で使用するものであり、本願で言う照明灯と照明器具が一体とするものでなかった。
【００１５】
このように先行技術の先願例では、照明部１をコンセントから抜き差し交換するという、従来の蛍光灯の球交換の考え方を受け継いだもので、またあえてここでその電源供給するコンセント及び直流電源部も照明部１と同時に換えるとするならば、一般人が簡易に交換できるものでなかった。
【課題を解決するための手段】
【００１６】
本発明は、上記課題を有効に達成するために、第１の解決手段として、天井又は壁面の電源供給部と照明装置が着脱可能なように、電源受給部を該照明装置の支持本体の天井又は壁面側に設け、またＬＥＤユニットと駆動回路を有する発光部を、該支持本体とシェードを有する照明装置の内部に設けたことにより、
天井又は壁などの電源供給部から該照明器具一体の照明装置を着脱交換するとしている。
【００１７】
また、第２の解決手段として、支持本体を放熱体としたことにより、
駆動回路及びＬＥＤユニットからの熱を放熱させるとしている。
【００１８】
さらに、第３の解決手段として、ＬＥＤユニットが、熱伝導性支持部材で支持されると共に該熱伝導性支持部材を支持本体で支持することで、
ＬＥＤユニットからの熱を、熱伝導性支持部材を介して支持本体で放熱させるとしている。
【００１９】
加えて、第４の解決手段として、ＬＥＤユニットの照射光が、支持本体と平行した方向に照射可能なように、該ＬＥＤユニットを支持本体と平行方向に設けことで、
ＬＥＤユニットからの照射光を、シェードで面発光させるとしている。
【００２０】
さらに加えて、第５の解決手段として、ＬＥＤユニットの該ＬＥＤ発光素子が照射する照射光の対面側に反射部材を設けとしたことで、
ＬＥＤユニットからの照射光を、シェードで乱反射させて面発光させている。
【発明の効果】
【００２１】
本発明は、上述したそれぞれの手段によって有効な効果が得られるようにしたもので、特に、第１の解決手段の支持本体及びその下部側にシェードを設けた照明装置であって、天井又は壁面に設けられるローゼット又は電源ケーブル端部から電源供給できる電源供給部と該照明装置が着脱可能なように、該電源供給部に対応する引っ掛けプラグ、プラグ又はケーブル接続端子の電源受給部を、該照明装置の取付側である天井又は壁面側に設け、
上記照明装置の内部に、複数のＬＥＤ発光素子を有するＬＥＤユニットと、該ＬＥＤユニットを駆動する駆動回路を有する発光部を設けたことにより、
天井などの電源供給部から直接、照明部を有する照明器具一体の照明装置を着脱交換することで、本来持つ照明装置のＬＥＤユニットの照明効率が最もよく発揮でき、またその本来持つ、寿命も保つことができる照明器具一体の照明装置として提供できる。
【００２２】
また、本願の照明器具一体のＬＥＤ照明装置として交換することにおいて、従来の直管型ＬＥＤ照明灯の価格は、現状、従来蛍光灯と比較して非常に高価で普及の妨げになっており、例えば、従来の蛍光灯の球とその照明器具を合わせた金額と比較しても、該ＬＥＤ照明灯はそれ以上の価格が主流であり、この価格差から見たとき、長寿命と省エネだけの効果では交換普及に至ってないが、近年、価格的にも直管型ＬＥＤ照明灯の価格が、それに近づきつつある。
【００２３】
そして、上述交換における見えない負の部分の、該既設の照明器具の使用による劣化と効率低下で、その効率低下した該既設の蛍光灯用照明器具を使用することにより、新規交換した照明灯の効率も低下し、またその新規照明灯の寿命にも影響することであり、よって、新旧混合使用は、真の長寿命と省エネが得られず、このようなことでは、さらなる普及の妨げとなり、量産効果による価格低減にも影響し、その意味からも、本願の照明器具一体のＬＥＤ照明装置として交換する意義の効果は大きいものである。
【００２４】
さらに、照明器具一体のＬＥＤ照明装置として、全体を交換することにより、シェードデザインもその時点で変更でき、また従来使用していた照明灯の直管形又は環形一辺倒のデザインからシェードのデザイン依存に移行でき、より多くの照明デザインとして各用途に合わせ多様化させることができる。
【００２５】
さらにまた、従来の直管型ＬＥＤ照明灯の直管形又は環形は、その球の表面積で発光面積が限られるが、それに比較して本願シェードはより広い発光面積が得られ、面発光照明と、また間接照明とにより影のできにくい照明となる。
【００２６】
また、第２の解決手段の支持本体を、放熱体としたことにより、
従来の直管型ＬＥＤ照明灯の放熱板に比較して格段の放熱面積が得られると共に支持本体と兼用することでコストを低く抑え、また駆動回路及びＬＥＤユニットからの熱を放熱させることができ、該駆動回路及びＬＥＤユニットの熱による劣化を防ぎ、より長寿命が確保できる。
【００２７】
さらに、第３の解決手段のＬＥＤユニットが、熱伝導性支持部材で支持されると共に該熱伝導性支持部材を支持本体で支持することにより、
ＬＥＤユニットからの熱を熱伝導性の良い支持部材から直接放熱可能で、さらに該熱伝導性支持部材を介して支持本体で放熱させることができ、よってさらに放熱効果が得られ、該ＬＥＤユニットを熱から守り、さらに熱による劣化を防ぐことで、長寿命化が図れる。
【００２８】
加えて、第４の解決手段のＬＥＤユニットの照射光が、支持本体と平行した方向に照射可能なように、該ＬＥＤユニットを支持本体と平行方向に設けたことにより、
ＬＥＤユニットからの照射光が、シェード面で点光源とならず、該シェードを面発光させることができる照明器具一体の照明装置として提供できる。
【００２９】
さらに加えて、第５の解決手段の、ＬＥＤユニットの該ＬＥＤ発光素子が照射する照射光の対面側に反射部材を設けたことにより、
ＬＥＤユニットからの照射光を、反射部材によりシェード方向に反射させることで、効率よく該シェードを面発光させると共に天井方向にも反射させることが可能で、天井の間接照明としての効果も得られ、またシェードはより広い発光面積が得られることで、部屋全体に明るく配光できる照明器具一体の照明装置として提供できる。
よって、これらのことから本発明は、実用上著大な効果を奏する。
【図面の簡単な説明】
【００３０】
【図１】本発明の要部断面の斜視図である。
【図２】本発明の両側面を省略した要部の正面断面図である。
【図３】本発明の要部の側面断面図である。
【図４】本発明の他の実施例の両側面を省略した要部の正面断面図である。
【図５】本発明の側面断面図で、光の照射状態を示す想像図である。
【図６】本発明のその他の実施例で一部切り欠いた斜視図である。
【図７】本発明のさらに他の実施例の底面図である。
【発明を実施するための形態】
【００３１】
支持本体及びその下部側にシェードを設けた照明装置であって、天井又は壁面の電源供給部と照明器具一体の照明装置が着脱可能なように、天井又は壁面側に該電源受給部を設け、またＬＥＤユニットと駆動回路を有する発光部を、該支持本体とシェードを有する照明装置の内部に設けて、天井などの電源供給部から該照明器具一体の照明装置を着脱交換できるようにした照明装置の提供を実現させた。
【実施例】
【００３２】
本発明の実施例を図面に基づいて説明すると、図１において、１はＬＥＤ照明装置で、該ＬＥＤ照明装置１は、支持本体２にＬＥＤユニット３，３とシェード４をそれぞれ設けている。
【００３３】
そこで、該支持本体２は、図１、図２及び図３に示すように、下向の略コの字状で、該コの字状の対面する内側面に、それぞれＬＥＤユニット３，３を対向させて設け、また該ＬＥＤユニット３，３が対向する略中間点近傍に、略蒲鉾状の反射部５が下部側に突出するように設け、さらに下向略コの字状の上部側の背面部外側の略中央近傍に、電源受給部６の引っ掛けプラグ６ａを設けている。
【００３４】
また、上記ＬＥＤユニット３，３は、図１に示すように上述支持本体２に設けられ、また図３に示すように支持部材７と複数のＬＥＤ発光素子８，８，…を配した基板９を有し、また該支持部材７は、熱伝導性の良い絶縁材で略コの字状に形成し、該凹所に基板９を設け、そして該ＬＥＤ発光素子８，８，…の駆動回路１０は、図２に示すように、反射部５内の支持本体２側に設けられる駆動回路基板１１に配置される。
【００３５】
そして、該ＬＥＤ発光素子８，８，…は、角形のチップ形状で、該基板９に所望のワット数に対応した数量が配置され、駆動回路基板１１に配される駆動回路１０により電源供給と所定電流により発光するように配線される。
【００３６】
また、該駆動回路１０への電源供給は、図２に示すように、電源受給部６の引っ掛けプラグ６ａより印加されると共に該引っ掛けプラグ６ａへは、後述する天井に設けられた電源供給部１２の既設のローゼット１２ａから接続印加される。
【００３７】
また、上記シェード４は、図１に示すように半透明の逆蒲鉾状に形成され、支持本体２に取り付けられることで所定空間を有するＬＥＤ照明装置１の外観形状とし、そしてそのシェード４の形状を各種変更することで、ＬＥＤ照明装置１のデザイン性を持たせる。
【００３８】
そして、上記シェード４の各種デザインされた形状に対応できるようＬＥＤユニット３，３の配置も変更されるが、ＬＥＤ発光素子８，８，…から照射される照明光の基本的軌跡は、図５に示すように、該ＬＥＤユニット３，３の複数のＬＥＤ発光素子８，８，…から照射される照明光が、略蒲鉾状の反射部５及びシェード４内面で乱反射されることで、シェード４全体が面発光し、またシェード４端部の天井１３側から照明光が透過することで、天井１３にも照射され、天井１３の間接光となり、また反射部５の略蒲鉾状の形状は、シェード４の各種デザインにより球面状、角錐台などに突出した形状に変更される。
【００３９】
而して、図４に示す、他の実施例の電源受給部６の接続端子６ｂは、天井１３に配線されている電源ケーブル１４の端部が直接接続できるもので、該接続端子６ｂは、接続穴に該ケーブル先端を挿入することで接続が完了するもの、又はねじ部材で接続固定するものなど、従来市販されるものである。
【００４０】
なお、図４に示す、上記接続端子６ｂを使用する実施例は、取付金具１５を介して天井１３にＬＥＤ照明装置１を直付けするものと、図示は略したが天井埋め込み形の照明として使用する場合に、上述該ケーブル１４から直接、この電源受給部６の接続端子６ｂに接続するものに使用し、さらに壁面及び棚などの埋め込み若しくはそれらに直付けするものも同様に使用される。
【００４１】
而して、図６に示すその他の実施例は、ＬＥＤ照明装置１ａを略丸形とし、該ＬＥＤ照明装置１ａは、上述ＬＥＤ照明装置１と形状が相違するのみで、その構成としてそれぞれ該丸形に対応した支持本体２ａとＬＥＤユニット３ａとシェード４ａと球面状の反射部５ａとフレキシブル基板９ａ及びＬＥＤ発光素子８，８，…を有する支持部材７ａにより、概ね同様の構成とし、相違において、該シェード４ａの外周近傍で外部に放熱可能なようにＬＥＤユニット３ａを配置している。
【００４２】
而して、図７に示すさらにその他の実施例は、上記ＬＥＤ照明装置１の構成と略同様としたもので、そのＬＥＤ照明装置１ｂを平面形状が楕円状にデザインし、シェード４ｂと支持本体２ｂの楕円球面状の反射部５ｂもその楕円に対応させた形状で、またＬＥＤユニット３ｂ，３ｂは、該楕円球面状の反射部５ｂを挟むように対向して設けられ、そしてＬＥＤユニット３ｂ，３ｂの基板は、上述した略丸形のＬＥＤ照明装置１ａと同様に曲面に対応できるようにフレキシブル基板９ａで形成されている。
【００４３】
そして、上述各実施例のＬＥＤ照明装置１，１ａ，１ｂは、天井１３の引っ掛けプラグ６ａ又は電源ケーブル１４の電源供給部１２で取付け、取外しが行われ、該ＬＥＤ照明装置１、１ａ，１ｂ毎交換して使用する。
【００４４】
また、ＬＥＤ照明装置１，１ａ，１ｂが照明として使用されたときのＬＥＤユニット３、３ａ、３ｂのＬＥＤ発光素子８，８，…の発光熱は、支持部材７，７ａを介して放熱されると共に支持本体２，２ａで主に放熱され、ＬＥＤ発光素子８，８，…の過熱を防止し、それによる寿命延長が図れ、また過熱を抑えるためＬＥＤ発光素子８，８，…に流す電流を駆動回路１０により抑えると共にそれによる照度減をＬＥＤ発光素子８，８，…の使用数を増やすことで照度を確保できる。
【００４５】
なお、上述過熱を防止するために電流を抑えるのに駆動回路１０により、ＬＥＤ発光素子８，８，…の使用数と照度減とをバランスを取って最適に制御する。
【産業上の利用可能性】
【００４６】
本発明の照明器具一体のＬＥＤ照明装置は、従来の直管又は環形蛍光灯、埋込み型蛍光灯用に備え付けられた天井又は壁面のローゼット又は電源ケーブル端部を利用して、照明灯として交換して使用するＬＥＤ照明装置として提供できる。
【符号の説明】
【００４７】
１，１ａ，１ｂ  ＬＥＤ照明装置
２，２ａ  支持本体
３，３ａ，３ｂ  ＬＥＤユニット
４，４ａ，４ｂ  シェード
５，５ａ  反射部
６，６ａ，６ｂ  電源受給部
７，７ａ  支持部材
１２  電源供給部
１２ａ  ローゼット
１４  電源ケーブル
【図１】
2011222336.tif 000003
【図２】
2011222336.tif 000004
【図３】
2011222336.tif 000005
【図４】
2011222336.tif 000006
【図５】
2011222336.tif 000007
【図６】
2011222336.tif 000008
【図７】
2011222336.tif 000009
【手続補正書】
【提出日】平成22年9月4日(2010.9.4)
【手続補正１】
【補正対象書類名】特許請求の範囲
【補正対象項目名】全文
【補正方法】変更
【補正の内容】
【特許請求の範囲】
【請求項１】
支持本体が略板状若しくは略容器状でその対面側にシェードを設けた照明器具一体のＬＥＤ照明装置であって、天井又は壁面に設けられるローゼット又は電源ケーブル端部から電源供給できる電源供給部と、該照明装置の電源受給部から着脱交換可能なように、該電源供給部に対応する引っ掛けプラグ、プラグ又はケーブル接続端子の電源受給部を該支持本体に設け、
上記照明装置の内部に、複数のＬＥＤ発光素子を有するＬＥＤユニットと、該ＬＥＤユニットを駆動する駆動回路を有する発光部を熱伝導性支持部材を介して設け、
該ＬＥＤ照明装置が取り付けられる天井又は壁面に対して平行方向に照射光が照射できるように、該支持本体又はシェードの外周側から中央方向に向けて、該支持本体又はシェードの所定位置にＬＥＤユニットを設けると共に該ＬＥＤユニットのＬＥＤ発光素子が照射する該照射光の対面側に反射部材を設けたことを特徴とする照明器具一体のＬＥＤ照明装置。
【手続補正２】
【補正対象書類名】明細書
【補正対象項目名】全文
【補正方法】変更
【補正の内容】
【発明の詳細な説明】
【技術分野】
【０００１】
本発明は、ＬＥＤ（発光ダイオード）発光素子ユニット（以後、ＬＥＤユニットと言う）の照明灯と照明器具を一体として該照明器具のシェードが面発光する照明装置全体を交換するとした照明装置に関する。
【背景技術】
【０００２】
本願で言う照明管とは、従来の蛍光灯のようにパイプで形成された直管形又は環形の照明灯を指し、またその照明灯とは、その直管形及び環形の従来型の蛍光灯（ＬＥＤを使用した管状の物を含む）で、従来言われている電球及び蛍光灯などの球を指し、そのものが光り照明光となるもの、また照明器具とは、照明灯に電源を中継供給するためのプラグ及び電源ケーブルの接続端子などの接続部、筐体及びカバーなど該照明灯を発光及び保持させるための装置を有し、そのものが光らない物を指して言い、また照明器具一体とは、該照明灯と照明器具が一体で分離独立しない照明装置を指して言う。
【０００３】
なお、従来市場で提供されている蛍光灯形状のＬＥＤ照明管は、ＬＥＤユニットとその駆動回路が内蔵され、ここで言う照明装置あるいは照明灯の略形態であるが、該市販されるＬＥＤ照明管は、既設の照明器具に取り付け或いは該器具の形状に準じ、それに合わせて取付け使用されるものであるから、ここで言う照明装置としては取り扱わない。
【０００４】
そこで従来、直管形及び環形の蛍光灯又はＬＥＤ照明灯は、直管形及び環形の照明管の照明灯と照明器具が、それぞれ独立した単体商品として販売提供され、既設の照明器具に照明灯として取り付け或いは該器具の形状に準じて取付け使用されている。
【０００５】
そして、従来の照明装置は、そのカバー又はシェードの中で照明灯が発光するものと、該照明器具に取付けた照明灯自身が発光して照明光とするものが一般的に提供され、その照明器具のカバー又はシェードの中で発光する該照明灯と照明器具が一体として交換する提案はなかった。
【０００６】
しかして、照明器具一体の照明装置に関連する先願技術として、ＬＥＤの発光体の照明部と天井に設けるコンセント部とからなる天井用照明装置で、該照明部は、長尺のベース部材の両端部にＬＥＤの発光体を取付け、該発光体の両端部はソケット部材及びプラグを設け、また前記コンセント部は前記照明部のプラグに対応する差し込み口が設けられ、該差し込み口には前記ＬＥＤの発光体に対応する直流電源が、別に付設して供給され、前記照明部と前記コンセント部とには、該ベース部材をコンセント部から抜け落ちないようにソケット部材とコンセント部とに固定ロック手段を設けたとする実施例を示す「天井用ＬＥＤ照明装置」がある。（例えば、特許文献１参照）
【先行技術文献】
【特許文献】
【０００７】
【特許文献１】特開２００８−４７３７７号公報
【発明の概要】
【発明が解決しようとする課題】
【０００８】
従来の照明装置は、蛍光灯用器具と蛍光灯のように照明灯と照明器具が、それぞれ独立して提供され、蛍光灯の、その球のみ１〜２年程度の寿命で交換することが行われ、それに準じて、近年、市場に投入されている直管型ＬＥＤ照明灯も同様に、既存の照明器具に交換、取付けすることで使用しているが、その取替えられる球と同様、取り付ける照明器具側にも寿命があり、その寿命の違いを考慮せず使用されている。
【０００９】
つまり、近年提供される直管型ＬＥＤ照明灯の使用は、該既設の照明器具を使用して使い回ししているが、これは該照明器具が比較的長寿命であることからこの使用状態で実行されており、しかしそのことは、その取替えられた長寿命の直管型ＬＥＤ照明灯と該照明器具との寿命とに差を持って使用することであり、またそのことは、絶えず交互に取替えられることとなり、そのことで寿命の差による電気使用量と明るさの効率の悪さ、さらには本来持つ寿命が短くなる弊害が存在していた。
【００１０】
このことは、近年、直管型ＬＥＤ照明灯が、省エネ長寿命と言うことで提供され、その使用において、上述したように既存の照明器具に取付け使用するとした提案がなされているが、しかし既設の照明器具の寿命は、一般的には使用状況によって大きく差はあるものの１０年から２０年使用と言われ、またその範囲で使用されており、一方、近年提供が始まった直管型ＬＥＤ照明灯もまた同様の長寿命（４万〜５万時間）であり、このことから既設の照明器具に、古い蛍光灯に換え新しい該直管型ＬＥＤ照明灯に交換すると、その既存との使用時間差により、その効率の落ちた古い既設の照明器具に影響されて、新しい該ＬＥＤ照明灯の電気使用量と明るさの効率が落ち、本来の性能が出せなかった。
【００１１】
また、従来の蛍光灯で約１年近く使用すると照度が７０％程度、落ちると共にさらに増して該蛍光灯の電気の使用量が格段に増えることが知られ、また既設の照明器具も安定器など同様に効率が落ち、そしてＬＥＤ照明灯でも電気使用量に対しての照度効率が落ちることが知られ、このような使用状況を踏まえ、上述照明灯と照明器具の新旧混合使用は、新旧製品の具体的な効率の悪さに差が有ることがあまり一般的に認知されていなかったことによる。
【００１２】
そもそも、従来の蛍光灯及び電球は、照明器具の寿命に対して１〜２年程度と短く、このことから蛍光灯及び電球の球のみを交換する必要性から始まったことで、近年、提供が始まった直管型ＬＥＤ照明灯では、照明器具の寿命と同程度で、従来の蛍光灯及び電球の球だけを交換する以前に照明器具の寿命を考える必要があり、むしろ使用効率から見れば  上述したように該ＬＥＤ照明灯と照明器具の寿命が同じ程度であり、個別に交換することで効率が落ちる逆効果の結果で、照明灯とその照明器具の同時交換するのが最も効率よく、省エネ、長寿命の観点から使用できる。
【００１３】
これらのことから、上述したように照明灯とその照明器具を新しいもの同士、同時に使用することで、本来の効率を発揮できるが、そのような照明灯と照明器具の同時交換の提案が無く、またそのものも提供されず、ここから改善点が見いだせる。
【００１４】
しかして、開示される特許文献１の「天井用ＬＥＤ照明装置」は、電源供給するコンセント及び該コンセントに直流電源部を付設したもので、ＬＥＤの発光体１１からなる照明部１を該直流電源部が付設されたコンセントに差し込み通電することで照明灯としていることから、コンセント及び直流電源部と、照明部１を個別に設け、単体で使用するものであり、本願で言う照明灯と照明器具が一体とするものでなかった。
【００１５】
このように先行技術の先願例では、照明部１をコンセントから抜き差し交換するという、従来の蛍光灯の球交換の考え方を受け継いだもので、またあえてここでその電源供給するコンセント及び直流電源部も照明部１と同時に換えるとするならば、一般人が簡易に交換できるものでなかった。
【課題を解決するための手段】
【００１６】
本発明は、上記課題を有効に達成するために、第１の解決手段として、支持本体が略板状若しくは略容器状でその対面側にシェードを設けた照明器具一体のＬＥＤ照明装置であって、該照明装置を天井又は壁面に設けられる電源供給部と、電源受給部が着脱交換可能なように、該電源受給部を該支持本体に設け、複数のＬＥＤ発光素子を有するＬＥＤユニットと、該ＬＥＤユニットを駆動する駆動回路を有する発光部を熱伝導性支持部材を介して設け、また該ＬＥＤ照明装置が取り付けられる天井又は壁面に対して平行方向に該ＬＥＤユニットの照射光が照射可能なように、該支持本体又はシェードの外周側から中央方向に向けて、該支持本体又はシェードの所定位置にＬＥＤユニットを設けると共に該ＬＥＤユニットのＬＥＤ発光素子が、照射する照射光の対面側に反射部材を設けたことにより、
天井又は壁などの電源供給部から該照明器具一体の照明装置を着脱交換し、駆動回路及びＬＥＤユニットからの熱を、熱伝導性支持部材を介して支持本体で放熱させ、ＬＥＤユニットからの照射光を、シェードで乱反射させて面発光させる。
【発明の効果】
【００１７】
本発明は、上述したそれぞれの手段によって有効な効果が得られるようにしたもので、特に、第１の解決手段の支持本体が略板状若しくは略容器状でその対面側にシェードを設けた照明器具一体のＬＥＤ照明装置であって、天井又は壁面に設けられるローゼット又は電源ケーブル端部から電源供給できる電源供給部と、該照明装置の電源受給部から着脱交換可能なように、該電源供給部に対応する引っ掛けプラグ、プラグ又はケーブル接続端子の電源受給部を該支持本体に設け、
上記照明装置の内部に、複数のＬＥＤ発光素子を有するＬＥＤユニットと、該ＬＥＤユニットを駆動する駆動回路を有する発光部を熱伝導性支持部材を介して設け、
該ＬＥＤ照明装置が取り付けられる天井又は壁面に対して平行方向に照射光が照射できるように、該支持本体又はシェードの外周側から中央方向に向けて、該支持本体又はシェードの所定位置にＬＥＤユニットを設けると共に該ＬＥＤユニットのＬＥＤ発光素子が照射する該照射光の対面側に反射部材を設けたことにより、
天井などの電源供給部から直接、照明部を有する照明器具一体の照明装置を着脱交換することで、本来持つ照明装置のＬＥＤユニットの照明効率が最もよく発揮でき、またその本来持つ、寿命も保つことができる照明器具一体の照明装置として提供できる。
【００１８】
また、本願の照明器具一体のＬＥＤ照明装置として交換することにおいて、従来の直管型ＬＥＤ照明灯の価格は、現状、従来蛍光灯と比較して非常に高価で普及の妨げになっており、例えば、従来の蛍光灯の球とその照明器具を合わせた金額と比較しても、該ＬＥＤ照明灯はそれ以上の価格が主流であり、この価格差から見たとき、長寿命と省エネだけの効果では交換普及に至ってないが、近年、価格的にも直管型ＬＥＤ照明灯の価格が、それに近づきつつある。
【００１９】
そして、上述交換における見えない負の部分の、該既設の照明器具の使用による劣化と効率低下で、その効率低下した該既設の蛍光灯用照明器具を使用することにより、新規交換した照明灯の効率も低下し、またその新規照明灯の寿命にも影響することであり、よって、新旧混合使用は、真の長寿命と省エネが得られず、このようなことでは、さらなる普及の妨げとなり、量産効果による価格低減にも影響し、その意味からも、本願の照明器具一体のＬＥＤ照明装置として交換する意義の効果は大きいものである。
【００２０】
さらに、照明器具一体のＬＥＤ照明装置として、全体を交換することにより、シェードデザインもその時点で変更でき、また従来使用していた照明灯の直管形又は環形一辺倒のデザインからシェードのデザイン依存に移行でき、より多くの照明デザインとして各用途に合わせ多様化させることができる。
【００２１】
さらにまた、従来の直管型ＬＥＤ照明灯の直管形又は環形は、その球の表面積で発光面積が限られるが、それに比較して本願シェードはより広い発光面積が得られ、面発光照明と、また間接照明とにより影のできにくい照明となる。
【００２２】
また、支持本体を放熱体としているので、従来の直管型ＬＥＤ照明灯の放熱板に比較して格段の放熱面積が得られると共に支持本体と兼用することで、コストを低く抑え、また駆動回路及びＬＥＤユニットからの熱を放熱させることができ、該駆動回路及びＬＥＤユニットの熱による劣化を防ぎ、より長寿命が確保できる。
【００２３】
さらに、ＬＥＤユニットが、熱伝導性支持部材を介して支持本体で支持されているので、ＬＥＤユニットからの熱を熱伝導性の良い支持部材から直接放熱可能で、さらに該熱伝導性支持部材を介して支持本体で放熱させることができ、よってさらに放熱効果が得られ、該ＬＥＤユニットを熱から守り、さらに熱による劣化を防ぐことで、長寿命化が図れる。
【００２４】
加えて、ＬＥＤ照明装置が取り付けられる天井又は壁面に対して平行方向に照射光が照射できるように、該支持本体又はシェードの外周側から中央方向に向けて、該支持本体又はシェードの所定位置にＬＥＤユニットを設けると共に該ＬＥＤユニットのＬＥＤ発光素子が照射する該照射光の対面側に反射部材を設けているので、ＬＥＤユニットの照射光が、シェード面で点光源とならず、該シェードを面発光させることができる照明器具一体の照明装置として提供できる。
【００２５】
さらに加えて、ＬＥＤユニットの該ＬＥＤ発光素子が照射する照射光の対面側に反射部材を設けているので、ＬＥＤユニットからの照射光を、反射部材によりシェード方向に反射させることで、効率よく該シェードを面発光させると共に天井方向にも反射させることが可能で、天井の間接照明としての効果も得られ、またシェードはより広い発光面積が得られることで、部屋全体に明るく配光できる照明器具一体の照明装置として提供できる。
よって、これらのことから本発明は、実用上著大な効果を奏する。
【図面の簡単な説明】
【００２６】
【図１】本発明の要部断面の斜視図である。
【図２】本発明の両側面を省略した要部の正面断面図である。
【図３】本発明の要部の側面断面図である。
【図４】本発明の他の実施例の両側面を省略した要部の正面断面図である。
【図５】本発明の側面断面図で、光の照射状態を示す想像図である。
【図６】本発明のその他の実施例で一部切り欠いた斜視図である。
【図７】本発明のさらに他の実施例の底面図である。
【発明を実施するための形態】
【００２７】
支持本体及びその下部側にシェードを設けた照明装置であって、天井又は壁面の電源供給部と照明器具一体の照明装置が着脱可能なように、天井又は壁面側に該電源受給部を設け、またＬＥＤユニットと駆動回路を有する発光部を、該支持本体とシェードを有する照明装置の内部に設けて、天井などの電源供給部から該照明器具一体の照明装置を着脱交換できるようにした照明装置の提供を実現させた。
【実施例】
【００２８】
本発明の実施例を図面に基づいて説明すると、図１において、１はＬＥＤ照明装置で、該ＬＥＤ照明装置１は、支持本体２にＬＥＤユニット３，３とシェード４をそれぞれ設けている。
【００２９】
そこで、該支持本体２は、図１、図２及び図３に示すように、下向の略コの字状で、該コの字状の対面する内側面に、それぞれＬＥＤユニット３，３を対向させて設け、また該ＬＥＤユニット３，３が対向する略中間点近傍に、略蒲鉾状の反射部５が下部側に突出するように設け、さらに下向略コの字状の上部側の背面部外側の略中央近傍に、電源受給部６の引っ掛けプラグ６ａを設けている。
【００３０】
また、上記ＬＥＤユニット３，３は、図１に示すように上述支持本体２に設けられ、また図３に示すように支持部材７と複数のＬＥＤ発光素子８，８，…を配した基板９を有し、また該支持部材７は、熱伝導性の良い絶縁材で略コの字状に形成し、該凹所に基板９を設け、そして該ＬＥＤ発光素子８，８，…の駆動回路１０は、図２に示すように、反射部５内の支持本体２側に設けられる駆動回路基板１１に配置される。
【００３１】
そして、該ＬＥＤ発光素子８，８，…は、角形のチップ形状で、該基板９に所望のワット数に対応した数量が配置され、駆動回路基板１１に配される駆動回路１０により電源供給と所定電流により発光するように配線される。
【００３２】
また、該駆動回路１０への電源供給は、図２に示すように、電源受給部６の引っ掛けプラグ６ａより印加されると共に該引っ掛けプラグ６ａへは、後述する天井に設けられた電源供給部１２の既設のローゼット１２ａから接続印加される。
【００３３】
また、上記シェード４は、図１に示すように半透明の逆蒲鉾状に形成され、支持本体２に取り付けられることで所定空間を有するＬＥＤ照明装置１の外観形状とし、そしてそのシェード４の形状を各種変更することで、ＬＥＤ照明装置１のデザイン性を持たせる。
【００３４】
そして、上記シェード４の各種デザインされた形状に対応できるようＬＥＤユニット３，３の配置も変更されるが、ＬＥＤ発光素子８，８，…から照射される照明光の基本的軌跡は、図５に示すように、該ＬＥＤユニット３，３の複数のＬＥＤ発光素子８，８，…から照射される照明光が、略蒲鉾状の反射部５及びシェード４内面で乱反射されることで、シェード４全体が面発光し、またシェード４端部の天井１３側から照明光が透過することで、天井１３にも照射され、天井１３の間接光となり、また反射部５の略蒲鉾状の形状は、シェード４の各種デザインにより球面状、角錐台などに突出した形状に変更される。
【００３５】
而して、図４に示す、他の実施例の電源受給部６の接続端子６ｂは、天井１３に配線されている電源ケーブル１４の端部が直接接続できるもので、該接続端子６ｂは、接続穴に該ケーブル先端を挿入することで接続が完了するもの、又はねじ部材で接続固定するものなど、従来市販されるものである。
【００３６】
なお、図４に示す、上記接続端子６ｂを使用する実施例は、取付金具１５を介して天井１３にＬＥＤ照明装置１を直付けするものと、図示は略したが天井埋め込み形の照明として使用する場合に、上述該ケーブル１４から直接、この電源受給部６の接続端子６ｂに接続するものに使用し、さらに壁面及び棚などの埋め込み若しくはそれらに直付けするものも同様に使用される。
【００３７】
而して、図６に示すその他の実施例は、ＬＥＤ照明装置１ａを略丸形とし、該ＬＥＤ照明装置１ａは、上述ＬＥＤ照明装置１と形状が相違するのみで、その構成としてそれぞれ該丸形に対応した支持本体２ａとＬＥＤユニット３ａとシェード４ａと球面状の反射部５ａとフレキシブル基板９ａ及びＬＥＤ発光素子８，８，…を有する支持部材７ａにより、概ね同様の構成とし、相違において、該シェード４ａの外周近傍で外部に放熱可能なようにＬＥＤユニット３ａを配置している。
【００３８】
而して、図７に示すさらにその他の実施例は、上記ＬＥＤ照明装置１の構成と略同様としたもので、そのＬＥＤ照明装置１ｂを平面形状が楕円状にデザインし、シェード４ｂと支持本体２ｂの楕円球面状の反射部５ｂもその楕円に対応させた形状で、またＬＥＤユニット３ｂ，３ｂは、該楕円球面状の反射部５ｂを挟むように対向して設けられ、そしてＬＥＤユニット３ｂ，３ｂの基板は、上述した略丸形のＬＥＤ照明装置１ａと同様に曲面に対応できるようにフレキシブル基板９ａで形成されている。
【００３９】
そして、上述各実施例のＬＥＤ照明装置１，１ａ，１ｂは、天井１３の引っ掛けプラグ６ａ又は電源ケーブル１４の電源供給部１２で取付け、取外しが行われ、該ＬＥＤ照明装置１、１ａ，１ｂ毎交換して使用する。
【００４０】
また、ＬＥＤ照明装置１，１ａ，１ｂが照明として使用されたときのＬＥＤユニット３、３ａ、３ｂのＬＥＤ発光素子８，８，…の発光熱は、支持部材７，７ａを介して放熱されると共に支持本体２，２ａで主に放熱され、ＬＥＤ発光素子８，８，…の過熱を防止し、それによる寿命延長が図れ、また過熱を抑えるためＬＥＤ発光素子８，８，…に流す電流を駆動回路１０により抑えると共にそれによる照度減をＬＥＤ発光素子８，８，…の使用数を増やすことで照度を確保できる。
【００４１】
なお、上述過熱を防止するために電流を抑えるのに駆動回路１０により、ＬＥＤ発光素子８，８，…の使用数と照度減とをバランスを取って最適に制御する。
【産業上の利用可能性】
【００４２】
本発明の照明器具一体のＬＥＤ照明装置は、従来の直管又は環形蛍光灯、埋込み型蛍光灯用に備え付けられた天井又は壁面のローゼット又は電源ケーブル端部を利用して、照明灯として交換して使用するＬＥＤ照明装置として提供できる。
【符号の説明】
【００４３】
１，１ａ，１ｂ  ＬＥＤ照明装置
２，２ａ  支持本体
３，３ａ，３ｂ  ＬＥＤユニット
４，４ａ，４ｂ  シェード
５，５ａ  反射部
６，６ａ，６ｂ  電源受給部
７，７ａ  支持部材
１２  電源供給部
１２ａ  ローゼット
１４  電源ケーブル
【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
支持本体の対面側にシェードを設けた照明器具一体のＬＥＤ照明装置であって、天井又は壁面に設けられるローゼット又は電源ケーブル端部から電源供給できる電源供給部と、該照明装置の電源受給部から着脱交換可能なように、該電源供給部に対応する引っ掛けプラグ、プラグ又はケーブル接続端子の電源受給部を該支持本体に設け、
上記照明装置の内部に、複数のＬＥＤ発光素子を有するＬＥＤユニットと、該ＬＥＤユニットを駆動する駆動回路を有する発光部を、熱伝導性支持部材を介して設け、
該ＬＥＤ照明装置が取り付けられる天井又は壁面に対して平行方向に照射光が照射できるように、シェード内の外周側から中央方向に向けて、該シェード内の所定位置にＬＥＤユニットを設けると共に該ＬＥＤユニットのＬＥＤ発光素子が照射する該照射光の対面側に反射部材を設けたことを特徴とする照明器具一体のＬＥＤ照明装置。
【手続補正２】
【補正対象書類名】明細書
【補正対象項目名】００１６
【補正方法】変更
【補正の内容】
【００１６】
本発明は、上記課題を有効に達成するために、第１の解決手段として、支持本体の対面側にシェードを設けた照明器具一体のＬＥＤ照明装置であって、該照明装置を天井又は壁面に設けられる電源供給部と、電源受給部が着脱交換可能なように、該電源受給部を該支持本体に設け、複数のＬＥＤ発光素子を有するＬＥＤユニットと、該ＬＥＤユニットを駆動する駆動回路を有する発光部を、熱伝導性支持部材を介して設け、また該ＬＥＤ照明装置が取り付けられる天井又は壁面に対して平行方向に該ＬＥＤユニットの照射光が照射可能なように、シェード内の外周側から中央方向に向けて、該シェード内の所定位置にＬＥＤユニットを設けると共に該ＬＥＤユニットのＬＥＤ発光素子が、照射する照射光の対面側に反射部材を設けたことにより、
天井又は壁などの電源供給部から該照明器具一体の照明装置を着脱交換し、駆動回路及びＬＥＤユニットからの熱を、熱伝導性支持部材を介して支持本体で放熱させ、ＬＥＤユニットからの照射光を、シェードで乱反射させて面発光させる。
【手続補正３】
【補正対象書類名】明細書
【補正対象項目名】００１７
【補正方法】変更
【補正の内容】
【００１７】
本発明は、上述したそれぞれの手段によって有効な効果が得られるようにしたもので、特に、第１の解決手段の支持本体の対面側にシェードを設けた照明器具一体のＬＥＤ照明装置であって、天井又は壁面に設けられるローゼット又は電源ケーブル端部から電源供給できる電源供給部と、該照明装置の電源受給部から着脱交換可能なように、該電源供給部に対応する引っ掛けプラグ、プラグ又はケーブル接続端子の電源受給部を該支持本体に設け、
上記照明装置の内部に、複数のＬＥＤ発光素子を有するＬＥＤユニットと、該ＬＥＤユニットを駆動する駆動回路を有する発光部を、熱伝導性支持部材を介して設け、
該ＬＥＤ照明装置が取り付けられる天井又は壁面に対して平行方向に照射光が照射できるように、シェード内の外周側から中央方向に向けて、該シェード内の所定位置にＬＥＤユニットを設けると共に該ＬＥＤユニットのＬＥＤ発光素子が照射する該照射光の対面側に反射部材を設けたことにより、
天井などの電源供給部から直接、照明部を有する照明器具一体の照明装置を着脱交換することで、本来持つ照明装置のＬＥＤユニットの照明効率が最もよく発揮でき、またその本来持つ、寿命も保つことができる照明器具一体の照明装置として提供できる。